(57)【要約】【課題】洗濯機を用いた場合でも、固体汚れを衣類から顕著に洗浄できる洗浄剤、該洗浄剤を含有する繊維用液体洗浄剤を提供すること。【解決手段】洗浄成分として水溶性ペクチンを含有する洗浄剤、水溶性ペクチンを含有する繊維用液体洗浄剤、該繊維用液体洗浄剤を繊維製品に塗布し、次いで水系洗浄する工程を有する、繊維製品の洗濯方法。【選択図】なし【特許請求の範囲】
【請求項１】
洗浄成分として水溶性ペクチンを含有する洗浄剤。
【請求項２】
洗浄対象が固体汚れである、請求項1記載の洗浄剤。
【請求項３】
水溶性ペクチンを含有する繊維用液体洗浄剤。
【請求項４】
汚染部分へ塗布して使用される、請求項３記載の繊維用液体洗浄剤。
【請求項５】
請求項３又は４記載の繊維用液体洗浄剤を繊維製品に塗布し、次いで水系洗浄する工程を有する、繊維製品の洗濯方法。
【発明の詳細な説明】
【技術分野】
【０００１】
本発明は、洗浄剤、詳しくは繊維用液体洗浄剤及び該洗浄剤を用いる繊維製品の洗濯方法に関する。
【背景技術】
【０００２】
従来から、衣類に付着した汚れの中でも、泥やスス等のホコリ汚れは、汚れの主体である粒子が衣類の繊維間に絡み合うために、非常に落ちにくい汚れとなることが知られている。
【０００３】
そこで、これらの粒子汚れに対する洗浄性を向上した洗浄剤の開発が従来からなされている（例えば、特許文献１〜３を参照）。
【０００４】
しかしながら、この粒子汚れは、特に、洗濯機を用いた場合には、その機械力(水流)が粒子の絡んだ繊維間にまでかかり難いため、汚れが残りやすいという傾向にある。さらに、近年では、衣類を大切に洗いたいという消費者ニーズに対応して、洗濯機の機械力は低下しつつあり、衣類における粒子汚れの洗浄レベルはますます低下している。
【特許文献１】特開２００１−１８７９００号公報
【特許文献２】特開２００１−４９２９８号公報
【特許文献１】特開２００１−４９２９９号公報
【発明の開示】
【発明が解決しようとする課題】
【０００５】
そこで、本発明者らは、最近の洗濯機のような低い機械力においても、固体汚れに対しても高い洗浄性能を有する洗浄剤を得るために鋭意検討した結果、驚くべきことに従来では洗浄剤として認知されていなかった水溶性ペクチンが高い洗浄性能を有することを初めて見出し、本発明を完成させた。
【０００６】
即ち、本発明の課題は、洗濯機を用いた場合でも、固体汚れを衣類から顕著に洗浄できる洗浄剤、該洗浄剤を含有する繊維用液体洗浄剤及び該繊維用液体洗浄剤の製造方法を提供することにある。
【０００７】
なお、ペクチンは植物に多く存在する水溶性の高分子物質で、ゲル化剤や増粘剤等として使用されているものの、固体汚れに対して高い洗浄性能を有することは知られていなかった。
【課題を解決するための手段】
【０００８】
本発明の要旨は、
〔１〕洗浄成分として水溶性ペクチンを含有する洗浄剤、
〔２〕水溶性ペクチンを含有する繊維用液体洗浄剤、
〔３〕前記〔２〕記載の繊維用液体洗浄剤を繊維製品に塗布し、次いで水系洗浄する工程を有する、繊維製品の洗濯方法
に関する。
【発明の効果】
【０００９】
本発明の洗浄剤を用いることで、洗濯機を用いた場合でも、固体汚れを衣類から顕著に洗浄できるという効果が奏される。
【発明を実施するための最良の形態】
【００１０】
本発明の洗浄剤は、前記のように、洗浄成分として水溶性ペクチンを含有するものである。本発明においてはかかる水溶性ペクチンを洗浄成分として用いることで、繊維に付着した種々の汚れ、中でも、泥やほこり等の固体粒子の汚れを顕著に洗浄できるという優れた効果が発現される。
【００１１】
特に本発明の洗浄剤は、機械力の低い洗濯機を用いた場合であっても、固体汚れに対して優れた洗浄性能を有するものである。
ここで、本発明において、水溶性ペクチンが固体汚れを洗浄するメカニズムとしては、以下のことが考えられる。
即ち、固体汚れの洗浄性は機械力に依存しており、洗濯時に機械力のかかりにくい布地の内部の固体汚れは残留しやすい。本発明の洗浄剤を汚染部分に塗布すると、布地の内部にまで洗浄成分であるペクチンが浸透し、汚れ部分と相互作用を示し、その後、水系洗浄することでペクチンと共に汚れが洗い流されると考えられる。
かかるメカニズムにより、水溶性ペクチンが優れた洗浄性能を発揮すると考えられる。
【００１２】
本発明に使用される水溶性ペクチンとしては、ぺクチニン酸及びペクチン酸が挙げられる。
【００１３】
本発明の洗浄剤中の水溶性ペクチンの含有量としては、洗浄性能と塗布適性の観点から、０．２〜２０重量％が好ましく、０．６〜１５重量％がより好ましい。
【００１４】
また、本発明の洗浄剤は、前記水溶性ペクチンを主成分とするものであるが、一般に洗浄剤として用いられる剤、例えば、界面活性剤、硬度成分捕捉剤、香料、酵素、防腐剤等の任意成分を含有してもよい。
【００１５】
なお、本発明の洗浄剤においては、その効果を保持する観点から、アルカリ剤等の成分の含有量が好ましくは２重量％以下、より好ましくは０．５重量％以下であり、さらに実質的に含有しないことが好ましい。
【００１６】
また、本発明の洗浄剤の残部は水である。本発明の洗浄剤は、機械力のかかり難い布地の中心部まで洗剤成分であるペクチンを浸透させることができるという利点がある。
本発明の洗浄剤は、水溶性ペクチン、水、必要であれば任意の成分を公知の方法で混合することで、調製することができる。
【００１７】
本発明の洗浄剤は、繊維の汚染部分へ塗布する際に、容易に塗り広げることができる観点から、液状のものが好ましい。したがって、本発明は、繊維用液体洗浄剤に関する。
【００１８】
かかる本発明の繊維用液体洗浄剤(以下、本発明の液体洗浄剤ともいう)は、水溶性ペクチンを含有するものである。
【００１９】
本発明において、「繊維」とは、天然繊維（綿、麻、絹、羊毛等）、合成繊維（ポリエステル、ナイロン、アクリル等）、再生繊維（キュプラ等）、半合成繊維（アセテート等）等の繊維をいう。したがって、本発明の液体洗浄剤は、かかる繊維からなる衣類、タオル、寝具、カーテン等の布製の住居用品、布製の靴等の繊維製品に付着した汚れ、中でも泥汚れやほこり汚れ等の固体汚れを洗浄対象とするものである。
【００２０】
また、本発明の液体洗浄剤は、その洗浄性能が更に向上する観点から、前記水溶性ペクチンと界面活性剤とを併用することが好ましい。
【００２１】
本発明においては、水溶性ペクチンと界面活性剤とを併用することで、布地への液体洗浄剤の浸透が促進され、洗浄性能が向上するという利点がある。
【００２２】
界面活性剤としては、通常の洗浄剤に使用されるものであれば特に限定はないが、例えば、アニオン界面活性剤（直鎖アルキルベンゼンスルホン酸塩、アルキル硫酸塩等）、ノニオン界面活性剤（ポリオキシエチレンアルキルエーテル等）等を用いることができる。
【００２３】
界面活性剤の本発明の液体洗浄剤中における含有量としては、洗浄性能及び塗布適性の観点から、１〜４０重量％が好ましく、５〜２５重量％がより好ましい。
【００２４】
なお、本発明の液体洗浄剤においては、その効果を保持する観点から、アルカリ剤等の成分の含有量は、２重量％以下が好ましく、０．５重量％以下がより好ましく、実質的に含有しないことがさらに好ましい。
【００２５】
本発明の液体洗浄剤の残部は水である。該水としては、特に限定はなく、イオン交換水、蒸留水等が挙げられる。
【００２６】
本発明の液体洗浄剤は、前記水溶性ペクチン、水、必要であれば、界面活性剤及び任意成分を公知の方法で混合して調製することができる。
【００２７】
なお、本発明において、「液体」とは、２５℃で流動性を有することを言う。ここで、流動性の有無は、以下のように定義する。即ち、内径３０ｍｍ、高さ４０ｍｍの円筒形で、二つの円形端面のうち一つのみが内径３０ｍｍの円形に開口している円筒形ガラス容器を用意する。開口部を鉛直上方に向け水平面上に置く。これに２０ｃｍ３の試料を入れ、２５℃で１０分間静置する。その後、容器を９０°傾けた時、1時間以内に内容物が流動して本ガラス容器の開口部に達した場合、流動性を有するとする。
【００２８】
本発明の洗浄剤又は繊維用液体洗浄剤は、洗濯、中でも固体汚れの洗濯に好適に使用される。
その使用形態としては、塗布が好ましい。例えば、本発明の洗浄剤又は繊維用液体洗浄剤を繊維製品、特に汚れのある部分に塗布し、次いで水系洗浄する方法が挙げられる。
【００２９】
塗布方法としては、例えば、スプレーやノズル容器等を用いて直接的に塗布したり、前記洗浄剤又は繊維用液体洗浄剤を含浸させたスポンジやシート等を用いて、間接的に塗布したりすることができる。
【００３０】
塗布後、すぐに洗浄を行ってもよいし、洗浄を行うまで時間をおいてもよい。塗布した洗浄剤又は繊維用液体洗浄剤が湿潤状態であってもよいし、乾燥した状態になってもよい。
【００３１】
本発明の洗浄剤又は繊維用液体洗浄剤の使用量は、繊維の種類や形状に依存するため、一概に限定できないが、布地の中心部まで剤が浸透するに充分な量を用いることが好ましい。
【００３２】
また、前記の洗浄時には、公知の洗浄剤をさらに添加して洗濯を行うことにより、塗布したペクチンがより洗い流されやすくなり、洗浄性能が向上するという利点がある。併用される洗浄剤としては、特に限定はなく、一般的な衣料用の洗浄剤であればよい。
【００３３】
また、洗濯方法としては、特に限定はなく、手洗い洗濯、洗濯機洗濯等が挙げられるが、本発明は、機械力の弱い洗濯機を用いた洗濯でも簡便に十分な洗浄効果を得ることができるという利点がある。
【００３４】
また、本発明の洗浄剤又は繊維用液体洗浄剤は、前記のように、固体汚れに特に顕著な洗浄効果を有するが、通常の液体洗浄剤に代えて使用した場合でも、食べ物の汚れ等の汚れに対しても十分な洗浄力を有する。
【実施例】
【００３５】
〔人工汚染布（泥）の調製〕
泥汚れとして鹿沼赤玉土を用い、特開平10-204769の方法により木綿メリヤス布（染色試材（株）谷頭商店、商品名：Ａ−１０綿ニットシル晒）を汚染して、人工汚染布を調製した。
【００３６】
〔人工汚染布（カーボン）の調製〕
カーボンブラック（洗濯科学協会より購入）１ｇをエタノール１Ｌに加え、１０分間超音波発振機を用いてカーボンを分散させた後、上記木綿メリヤス布を該液に浸漬、乾燥して人工汚染布を調製した。
【００３７】
実施例１〜８及び比較例１〜３
表１に記載の組成を有するように各成分を混合して液体洗浄剤を調製した。
得られた液体洗浄剤を以下の方法にしたがい、泥汚染布及びカーボン汚染布の洗浄率をそれぞれ測定した。
【００３８】
〔洗浄条件〕
液体洗浄剤を６ｃｍ×６ｃｍの人工汚染布（泥又はカーボン）１枚に３ｇを直接塗布した後に洗濯を行った。洗濯は、ターゴトメーターを使用して、回転数８０ｒｐｍ、洗濯時間１０分、温度２０℃、３°ＤＨ（Ｃａ／Ｍｇ＝７／３）の水１Ｌを用いて行なった。
【００３９】
・洗浄率の算出
原布及び洗浄前後の反射率（泥汚染布については４６０ｎｍ、カーボン汚染布については５５０ｎｍ）を測色色査計（日本電色工業（株）製、ＮＤ−３００Ａ）にて測定し、次式によって洗浄率Ｄ（％）を算出した。その結果を表１に併せて示す。
Ｄ＝（Ｌ２−Ｌ１）／（Ｌ０−Ｌ１）×１００（％）
Ｌ０：原布の反射率
Ｌ１：洗浄前汚染布の反射率
Ｌ２：洗浄後汚染布の反射率
【００４０】
【表１】
2006160956.tif 000002
【００４１】
なお、表中の成分としては、以下のものを用いた。
ペクチン１：ＵＮＩＰＥＣＴＩＮＥ  ＳＳ１５０  アップルＨＭペクチン（デグサテクスチュラント  システムズ  ジャパン（株）製）２００４年３月製造、Ｌｏｔ：31213707
ペクチン２：ＵＮＩＰＥＣＴＩＮＥ  ＬＭ  ＳＮ３２５  アップルＬＭペクチン（デグサ  テクスチュラント  システムズ  ジャパン（株）製）２００４年３月製造、Ｌｏｔ：30435202
【００４２】
表１の結果から、水溶性ペクチンを含有する液体洗浄剤（実施例１〜８）は、含有しないもの(比較例１〜３)に比べ、泥及びカーボンの汚れに対する洗浄率が有意に向上することがわかる。
【産業上の利用可能性】
【００４３】
本発明の洗浄剤及び繊維用液体洗浄剤は、衣類、タオル、寝具、カーテン等の布製住居用品、布製の靴等の洗浄、特に泥、ほこり等の固体汚れの洗浄に好適に利用される。